(57)【要約】  装着者の歯のアーチの内側に配置するために調整された基部（１２）および基部に連結されたアーチワイヤ（１４）を有する脱着可能な歯科用装置（１０）が提供され、基部の外側面（２０）は歯の内側面（１７）に接触する輪郭とされ、使用時には、装着者の一組の歯の中間にアーチワイヤと基部の間の相互連結がないように、アーチワイヤ（１４）が一組の歯の外周上を延びる。【選択図】  図１１
2007533355.tif 000002
【特許請求の範囲】
【請求項１】
装着者の歯のアーチの内側に配置するために調整された基部と、前記基部に連結されたアーチワイヤとを有する脱着可能な歯科用装置であって、前記基部の外側面が前記歯の内側面に接触する輪郭とされており、使用時に、前記装着者の一組の歯の中間に前記アーチワイヤと前記基部の間の相互連結がないように、前記アーチワイヤが前記一組の歯の外周上を延びる、歯科用装置。
【請求項２】
前記アーチワイヤが前記アーチの外側に沿って前記一組の歯の外側面に接するために、前記基部の一方の側の後方部分から前記基部の他方の側の後方部分へと延びる、請求項１に記載の歯科用装置。
【請求項３】
前記歯科用装置が前記装着者の上顎用である、請求項１または２に記載の歯科用装置。
【請求項４】
前記歯科用装置を使用する際、前記アーチワイヤが前記基部の左側後方部分から、前記アーチの左側の後歯の後方を外方向に、前記アーチの左外側に沿って前方向に、前記アーチの前外側に沿って右方向に、前記アーチの右外側に沿って後方向に、前記アーチの右側の後歯の後方を内方向に、前記基部の右側後方部分へと連続して延びる、請求項１〜３のいずれか一項に記載の歯科用装置。
【請求項５】
前記アーチワイヤが複数のＵ字形ループを組み込んでいる、請求項１〜４のいずれか一項に記載の歯科用装置。
【請求項６】
前記アーチワイヤが４つのＵ字形ループを組み込んでいる、請求項５に記載の歯科用装置。
【請求項７】
前記歯科用装置が前記装着者の上顎を広げるための１つまたは複数の拡張ねじを備える、請求項１〜６のいずれか一項に記載の歯科用装置。
【請求項８】
前記歯科用装置が、前記装着者の前記上顎を左、右および前方向に広げるための３方向拡張ねじ機構を備えている、請求項７に記載の歯科用装置。
【請求項９】
前記アーチワイヤが１つまたは複数のＣ字形クラスプを備えている、請求項１〜８のいずれか一項に記載の歯科用装置。
【請求項１０】
前記Ｃ字形クラスプの少なくとも１つが、前記Ｃ字形クラスプの一方の端部のみで前記アーチワイヤに連結されている、請求項９に記載の歯科用装置。
【請求項１１】
前記アーチワイヤが１つまたは複数のＬ字形レストを備えている、請求項１〜１０のいずれか一項に記載の歯科用装置。
【請求項１２】
前記基部がアクリル製である、請求項１〜１１のいずれか一項に記載の歯科用装置。
【請求項１３】
前記基部が咬合板を備える、請求項１〜１２のいずれか一項に記載の歯科用装置。
【請求項１４】
前記咬合板が前方咬合板である、請求項１３に記載の歯科用装置。
【請求項１５】
前記咬合板が後方咬合板である、請求項１３に記載の歯科用装置。
【請求項１６】
装着者の歯のアーチの内側に配置するために調整された基部と、前記基部に連結されたアーチワイヤとを有する脱着可能な歯科用装置であって、前記基部の外側面は前記装着者の顎の一方の側の一組の歯の内側面に接触する輪郭とされており、使用時には、前記一組の歯の中間で前記アーチワイヤと前記基部の間の相互連結がないように、前記アーチワイヤが前記一組の歯の外周上を延びる、歯科用装置。
【請求項１７】
前記アーチワイヤが、前記基部の後方部分から、前記一組の歯の後歯の後方を外方向に、前記一組の歯の外側面に接触して前方向に、前記一組の歯の前歯の前を内方向に、前記基部へと連続して延びる、請求項１６に記載の歯科用装置。
【請求項１８】
前記脱着可能な歯科用装置が前記装着者の下顎用である、請求項１６または１７に記載の歯科用装置。
【請求項１９】
前記基部が、第１の舌側部分およびそれと向かい合う第２の舌側部分を有し、前記第１および第２の舌側部分が弾性部材によって離間して保持され、前記第１の舌側部分が前記装着者の顎の一方の側にある歯の第１の組の内側面に接触する輪郭とされており、前記第２の舌側部分が前記装着者の顎の反対側にある歯の第２の組の内側面に接触する輪郭とされており、使用時には、前記第１のアーチワイヤが前記第１の舌側部分の後方部分から、前記歯の第１の組の後歯の後方を外方向に、前記歯の第１の組の外側面に接触して前方向に、前記歯の第１の組の前歯の前を内方向に、前記第１の舌側部分へと連続して延び、第２のアーチワイヤが前記第２の舌側部分の後方部分から、前記歯の第２の組の後歯の後方を外方向に、前記歯の第２の組の外側面に接触して前方向に、前記歯の第２の組の前歯の前を内方向に、前記第２の舌側部分へと連続して延びる、請求項１６〜１８のいずれか一項に記載の歯科用装置。
【請求項２０】
前記第１および第２のアーチワイヤがそれぞれ１つまたは複数のＣ字形クラスプを備えている、請求項１９に記載の歯科用装置。
【請求項２１】
前記Ｃ字形クラスプの少なくとも１つが、前記Ｃ字形クラスプの一方の端部のみで前記アーチワイヤに連結されている、請求項２０に記載の歯科用装置。
【請求項２２】
前記歯科用装置が前記装着者の前歯を前方に押し付けるための前方ワイヤまたはばねを有する、請求項１６〜２１のいずれか一項に記載の歯科用装置。
【請求項２３】
実質的に添付の図面を参照して、上で説明した通りである、歯科用装置。
【発明の詳細な説明】
【発明の分野】
【０００１】
本発明は歯科用装置に関し、より詳細には、ただしこれに限定されないが、歯科矯正、顎関節（ＴＭＪ）スプリント療法および／または筋肉の機能および顔面および歯の発達を変更する筋機能活動で使用する、脱着可能な歯科用装置に関する。本発明の例は、頭蓋骨の動きおよび縫合線の動きに及ぼす影響に関し、筋肉の弛緩および鼻呼吸の形成／改善に関する。
【背景技術】
【０００２】
従来の脱着可能な歯科用装置は、選択された数の歯の周囲に堅固に固定されるクラスプを使用して、装着者の顎に配置され維持される。クラスプの一形態はアダムスクラスプとして知られており、一般に単一の歯の周囲にしっかりと固定される。従来の脱着可能な歯科用装置を、装置が定位置に堅固に保持されるように、いくつかのそのようなクラスプを使用して装着者の顎に固定することが一般的である。しかし、歯科用装置を装着者の顎にそのようにしっかりと固定することは、装着者の歯が傾斜している場合は特に装置の取付けに困難を生じることが多い。さらに、そのような従来の脱着可能な歯科用装置は、装着者の顎に非常にしっかりと固定されることが多く、装着者の頭蓋骨の動きに影響を及ぼし、精神的および身体的にも不快感およびストレスをもたらす（例えば装着者の顔面の噛みしめなど）。特定の歯に固定して装置を定位置に保持するように使用されるクラスプによって、歯はほとんど動かない、またはまったく動かないようになる。このように、歯は他の歯のための余地を作ることができず、一般に抜歯が必要である。
【０００３】
従来の脱着可能な歯科用装置を装着する際に患者が不快感を経験することによって、患者はしばしば装置を付けることを嫌がり、それにより一般に装置を頻繁かつ長期間装着する必要がある治療にとって有害に影響する、低いコンプライアンスを招くことになる。さらに、患者が装置を数日間だけ装着しなかった場合であっても、歯が動いて装置が適切に固定されなくなることがある。そのような状況では、患者の口腔の新しい印象を取り、装置を修正し、または取り替える必要がある場合があり、このことによって費用が高くなり、使用している装置が所望の効果を達成するという点において逆効果となる場合がある。アダムスクラスプなどのクラスプはまた、特に装置を取り付けにくい状況において破損する傾向もあり、クラスプを適切に配置するには歯が十分に生えていないことのある子供の患者に使用するのにも一般に不適合である。
【０００４】
本発明の例は従来の脱着可能な歯科用装置の上記の欠点を克服し、または少なくとも軽減することを目的とする。
【発明の概要】
【０００５】
本発明の一態様によれば、装着者の歯のアーチの内側に配置するために調整された基部および基部に連結されたアーチワイヤを有する脱着可能な歯科用装置が提供され、基部の外側面は歯の内側面に接触する輪郭とされ、使用時には、装着者の一組の歯の中間にアーチワイヤと基部の間の相互連結がないように、アーチワイヤが一組の歯の外周上を延びる。
【０００６】
好ましくは、アーチワイヤは、アーチの外側に沿って一組の歯の外側面に接するために、基部の一方の側の後方部分から基部の他方の側の後方部分へと延びる。
【０００７】
好ましくは、歯科用装置は装着者の上顎用である。
【０００８】
好ましくは、歯科用装置を使用する際、アーチワイヤが基部の左側後方部分から、アーチの左側の後歯の後方を外方向に、アーチの左外側に沿って前方向に、アーチの前外側に沿って右方向に、アーチの右外側に沿って後方向に、アーチの右側の後歯の後方を内方向に、基部の右側後方部分へと連続して延びる。
【０００９】
好ましくは、アーチワイヤは複数のＵ字形ループを組み込んでいる。一例では、アーチワイヤは４つのＵ字形ループを組み込んでいる。
【００１０】
好ましくは、歯科用装置は装着者の上顎を広げるための１つまたは複数の拡張ねじを備える。１つの特定の例では、歯科用装置は装着者の上顎を左、右および前方向に広げるための３方向拡張ねじ機構を備えている。
【００１１】
好ましくは、アーチワイヤは１つまたは複数のＣ字形クラスプを備えている。より好ましくは、Ｃ字形クラスプの少なくとも１つが、Ｃ字形クラスプの一方の端部のみでアーチワイヤに連結されている。
【００１２】
好ましくは、アーチワイヤは１つまたは複数のＬ字形レストを備えている。
【００１３】
好ましくは、基部はアクリル製である。好ましくは、基部は咬合板を備える。一例では、咬合板は前方咬合板である。代替例では、咬合板は後方咬合板である。
【００１４】
本発明の別の態様によれば、装着者の歯のアーチの内側に配置するために調整された基部および基部に連結されたアーチワイヤを有する脱着可能な歯科用装置が提供され、基部の外側面は装着者の顎の一方の側の一組の歯の内側面に接触する輪郭とされ、使用時には、一組の歯の中間でアーチワイヤと基部の間の相互連結がないように、アーチワイヤが一組の歯の外周上を延びる。
【００１５】
好ましくは、アーチワイヤは基部の後方部分から、前記一組の歯の後歯の後方を外方向に、前記一組の歯の外側面に接触して前方向に、前記一組の歯の前歯の前を内方向に、基部へと連続して延びる。
【００１６】
好ましくは、脱着可能な歯科用装置は装着者の下顎用である。
【００１７】
好ましくは、基部は第１の舌側部分およびそれと向かい合う第２の舌側部分を有し、第１および第２の舌側部分は弾性部材によって離間して保持され、第１の舌側部分は装着者の顎の一方の側にある歯の第１の組の内側面に接触する輪郭とされ、第２の舌側部分は装着者の顎の反対側にある歯の第２の組の内側面に接触する輪郭とされ、使用時には、第１のアーチワイヤが第１の舌側部分の後方部分から、前記歯の第１の組の後歯の後方を外方向に、前記歯の第１の組の外側面に接触して前方向に、前記歯の第１の組の前歯の前を内方向に、第１の舌側部分へと連続して延び、第２のアーチワイヤが第２の舌側部分の後方部分から、前記歯の第２の組の後歯の後方を外方向に、前記歯の第２の組の外側面に接触して前方向に、前記歯の第２の組の前歯の前を内方向に、第２の舌側部分へと連続して延びる。
【００１８】
好ましくは、第１および第２のアーチワイヤがそれぞれ１つまたは複数のＣ字形クラスプを備える。より詳細には、少なくとも１つのＣ字形クラスプが、Ｃ字形クラスプの一方の端部のみでアーチワイヤに連結されている。
【００１９】
好ましくは、歯科用装置は装着者の前歯を前方に押し付けるための前方ワイヤまたはばねを有する。
【００２０】
本発明の好ましい実施形態を、例を示すためにのみ添付の図面を参照して述べる。
【詳細な説明】
【００２１】
図１〜図３に示す脱着可能な歯科用装置１０は装着者の上顎用であり、アクリル製の基部１２および基部１２に連結された唇側アーチワイヤ１４を有する。図１は上顎模型に固定された歯科用装置を示す。歯科用装置の基部１２は、装着者の歯のアーチ１６の内側に配置される形状であり、基部１２が装着者の口蓋に対して据え付けられる湾曲した上方部分１８を備える形である。基部１２の外側面２０は、装着者の歯１７の内側面に接触する輪郭とされる。アーチワイヤ１４は、基部１２の一方の側の後方部分２２から基部１２の他方の側の後方部分２４へと、アーチ１６の外側に沿って歯１７の外側面に接触するように延びる。
【００２２】
基部１２は常温硬化または熱硬化したアクリル製義歯から形成することができ、歯に加える必要のある圧力に応じてトリムまたは他の方法で調整することができる。
【００２３】
図１に示すように、歯科用装置１０は使用時には、アーチワイヤ１４が基部１２の左側後方部分２４から、アーチ１６の左側の後歯２６の後方を外方向に（参照番号２５を参照）、アーチ１６の左外側に沿って前方向に（参照番号２８を参照）、アーチ１６の前外側に沿って右方向に（参照番号３０を参照）、アーチ１６の右外側に沿って後方向に（参照番号３２を参照）、アーチ１６の右側の後歯３６の後方を内方向に（参照番号３４を参照）、基部１２の右側後方部分２２へと連続して延びる。アーチワイヤ１４はまた、歯科用装置１０を使用することによってもたらされる効果を個別に合わせるために調整することのできる４つのＵ字形ループ３８も組み込んでいる。他の例では４つより多いまたは少ないＵ字形ループをアーチワイヤ１４に形成することもできるが、出願人は、４つのＵ字形ループがアーチワイヤ１４に良好な保持特性を維持するとともに適度の柔軟性をもたらすと判断した。
【００２４】
図１〜図３に示す歯科用装置１０はまた、装着者の上顎を左、右および前方向に拡大するための３つの拡張ねじ４２、４４、４６を有する３方向拡張ねじ機構４０を備えている。各拡張ねじ４２、４４、４６は、矯正歯科医または患者が、装着者の上顎に所望される形状に従って基部１２の効果的なサイズを調整するために使用する工具（図示せず）を受けるための開口を備えている。基部１２は、基部１２に形成され、それを３つの個別パネル４８、５０、５２に分割する断線４７のおかげで、拡張ねじ４２、４４、４６の調整に応じて拡張することができる。アーチワイヤ１４がアーチ１６の周囲にあり、従来型のこれまで提案された歯科用装置ではよくあるように歯１７を把持しまたは損傷するものがないので、この配置における拡張ねじ４２、４４、４６によってもたらされる効果は好都合である。このように、本発明の配置は、装着者の神経系および筋機能への影響において利益をもたらす。
【００２５】
基部１２は、装着者の下顎が咬合板５３を閉塞するとき下顎を前方に動かし、装着者の顎および首の筋肉を弛緩するために、平面または傾斜するように形成することのできる前方咬合板５３を有する。アクリル製の基部１２は、装着者の顎に装着するのに所望の形状に従って形成される。前方咬合板は、深い咬合をなくし下歯の正常な量が見えるように、装着者の歯を同時に押すことを助ける。時間の経過とともに、噛みしめ抑制装置として動作する前方咬合板を使用することによって、深い咬合を矯正し噛みしめを軽減することができる。さらに、咬合板の効果および上顎の拡大は、ＴＭＪ障害を軽減する助けとなり、それまで口腔の開口障害を患っていた装着者の口を開くことを促進する助けとなることができる。例えば特に子供の第３級不正咬合において、前方咬合板の代わりに後方咬合板を使用することもできる。
【００２６】
歯科用装置１０を装着者の歯１７に保持するのを助けるように、アーチワイヤ１４の各側面にＣ字形クラスプ５４が半田付けされている。アーチワイヤ１４の各側面はまた、アーチワイヤ１４が脱落しないようにＬ字形レスト５６も備えている。
【００２７】
図４、図５および図６、図７に示す歯科用装置１０は、図１〜図３に示す歯科用装置１０と多くの点で類似しており、同様の特徴を同様の参照番号で示す。ただし図４および図５に示す歯科用装置は、患者の特定の症例に合わせるために、１方向拡張ねじ機構５８（およびそれに対応する、基部１２のサイズ調整のために必要な基部１２の唯一の断線４７）および２つだけのＵ字形ループ３８を有するアーチワイヤ１４という、より非対称な形状に変更されている点が異なる。図６および図７に示す歯科用装置１０もまた、強調された非対称形状および１方向拡張ねじ機構５８を有するが、アーチワイヤ１４には６つのＵ字形ループ３８が組み込まれている。
【００２８】
本発明の例に従って、特にアーチワイヤの配列をもとにして作製された歯科用装置は、動かすべき歯に十分な圧力を加えながら装置を円滑に固定することを可能にする。
【００２９】
図８〜図１０に示す脱着可能な歯科用装置６０は装着者の下顎用であり、下顎模型に固定されている状態を図８および図９に示す。歯科用装置６０は、第１の舌側部分６４、第２の舌側部分６６および一種のＷタイプのコフィンスプリングの形態である弾性部材６８から形成される基部６２を有する。第１および第２の舌側部分６４、６６は、特に装着者が上顎にも歯科用装置を固定しており、上顎の拡大に合わせるように下顎を拡大する必要がある場合に、装着者の下顎を広げるように調整することのできる弾性部材６８によって、離間して保持されている。第１の舌側部分６４は、装着者の下顎の一方の側にある歯の第１の組７０の内側面に接触する輪郭とされ、第２の舌側部分６６は、装着者の下顎の反対側にある歯の第２の組７２の内面に接触する輪郭とされている。図８に示すように、使用時には、第１のアーチワイヤ７４は、第１の舌側部分６４の後方部分７６から、前記歯の第１の組７０の後歯８０の後方を外方向に（参照番号７８を参照）、前記歯の第１の組７０の外側面に接触して前方向に（参照番号８２を参照）、前記歯の第１の組７０の前歯８６の前を内方向に（参照番号８４を参照）、第１の舌側部分６４へと連続して延びる。同様に、第２のアーチワイヤ８８は、第２の舌側部分６６の後方部分９０から、前記歯の第２の組７２の後歯９４の後方を外方向に（参照番号９２を参照）、前記歯の第２の組７２の外側面に接触して前方向に（参照番号９６を参照）、前記歯の第２の組７２の前歯１００の前を内方向に（参照番号９８を参照）、第２の舌側部分６６へと連続して延びる。好ましくは、歯の第１および第２の組７０、７２は小臼歯から臼歯までを含む。
【００３０】
第１および第２のアーチワイヤ７４、８８はそれぞれ、装着者の下顎に歯科用装置６０を保持することを助けるためにアーチワイヤ７４、８８にそれぞれ半田付けされた２つのＣ字形クラスプ１０２を備えている。歯科用装置６０はまた、装着者の前歯１０６を前方に押し付ける前方ワイヤまたはばね１０４も備えている。
【００３１】
基部６２は、歯に加える必要のある圧力に従ってトリムまたは他の方法で調整することができる。
【００３２】
図１１および図１２は、上顎模型に固定された脱着可能な歯科用装置１０を示す。装置は３方向拡張ねじ機構４０を備えており、前方咬合板５３を有する。アーチワイヤはＣ字形クラスプ５４を備える。図１２で最も良く示されているように、この場合のＣ字形クラスプは、中心部分がアーチワイヤに取り付けられているＣ字形クラスプに比べるとより長いカンチレバー部分を有する「長い」Ｃ字形クラスプを使用して保持力を向上させるように、その一端部分のみでアーチワイヤ１４に取り付けられている。したがって、カンチレバー部分はアーチワイヤ１４に比べてより大きく屈曲することができる。図４にも最も良く示されているように、アーチワイヤ１４は、アーチワイヤ１４が患者の歯から脱落しないように、Ｌ字形レスト５６を備えている。
【００３３】
図１３ａは上顎用の３方向調整可能な脱着可能な歯科用装置１０ａを示しており、装置１０ａの基部１２は前方咬合板５３を有する。装置１０ａは、上顎の前歯の唇側表面に当接するための前方唇側弓状部分１０８を備えたアーチワイヤ１４を有する。図１３ｂは、アーチワイヤ１４に前方咬合板または前方唇側弓状部分がなく、患者がより話しやすく、患者の上歯の前を通るワイヤが見えないような装置になっている、同じ患者のための代替的な脱着可能な歯科用装置１０を示す。図１３ｂでは、上顎の前歯の唇側表面に当接するための基部１２の前方部分がないので、基部１２を前方向に拡大するための設備が設けられておらず、２方向拡張ねじ機構４０で十分である。
【００３４】
図１３ｃは、図１３ｂに示すものと同様にアーチワイヤ１４に前方咬合板がないが前方唇側弓状部分１０８を有する、上顎用のさらに代替的な脱着可能な歯科用装置１０を示す。この配置は、前方咬合板を省略することによって患者がより自由に話せるようにしながら、前方唇側弓状部分１０８のおかげで上前歯を内方向に引っ張ることができるという利点をもたらす。図１３ｂの装置と同様に、図１３ｃの装置は２方向拡張ねじ機構４０を有する。
【００３５】
図１４は、患者の上顎および下顎内位置に固定された上顎および下顎用の歯科用装置１０、６０を示す。患者の上犬歯１１０はそれぞれ、アーチワイヤ１４が患者の歯から脱落しないように、または犬歯１１０を定位置に動かすように、アーチワイヤ１４の部分１１４に当接することのできるコンポジットボタン１１２を備えている。
【００３６】
図１５は患者の上顎に固定された歯科用装置１０を表す図を示す。装置１０の基部１２は、３方向拡張ねじ機構４０を使用して３方向の移動効果を実現するために分割される。一般に、基部１２の区画は動かす歯によって決まる。例えばこの図に示す装置では、前方パネル５２が犬歯１１０を含まないように基部１２が区画されている図１１の装置１０とは反対に、区画の前方分割部１１６は、前方パネル５２が上犬歯１１０を含むように配置されている。
【００３７】
図１６は、図１３ｂに示す装置と同様に、アーチワイヤ１４に前方咬合板または前方唇側弓状部分がない、代替的な脱着可能な歯科用装置１０を示す。装置の基部１２は、２方向拡張ねじ機構４０を使用して調整可能な２方向分割を有する。図１７は、Ｃ字形クラスプ５４がその中心部でアーチワイヤ１４に半田付けされている図１６の装置の側面図を示す。
【００３８】
図１９は上顎内の定位置にある脱着可能な歯科用装置１０を示す。装置は３方向拡張ねじ機構４０を有し、基部１２の前方パネル５２が犬歯１１０を含むように区画されている。しかし、図１５の装置１０とは対照的に、基部１２の区画は、基部１２が機構４０のねじを締結することによって互いに収縮するとき基部１２の側方パネル４８、５０が線１１８に沿って当接するようになることが異なっている。
【００３９】
図２０〜図２２は上顎用の脱着可能な歯科用装置の咬合板５３の様々な構造を示す。より詳細には、図２０は下顎を前方に動かすための湾曲した咬合板５３ａを示す。図２１は、下顎を上顎に対して順方向に配置するための平坦な咬合板５３ｂ、図２２は刻み目付きの咬合板５３ｃを示す。咬合板によって、顎が前方で噛み合う際に大きな役割を果たし、喉の筋肉および舌の基部および喉頭の周囲の軟組織を瞬時に緩めることが可能になり、呼吸の改善および筋肉の弛緩がもたらされる。咬合板は患者の上前歯の下を延びることができ、特定の症例の必要性に応じて、任意で犬歯の下を延びることもできる。
【００４０】
図２３は、犬歯１１０を噛み合うようにするための第１のばね１２０、および交叉咬合を修正するためのＺ字形ばね１２２の形態の第２のばねを備えて、上顎に固定された脱着可能な歯科用装置１０を示す。上顎または下顎用の歯科用装置は、装着者の歯の動きに合わせるためのばねを備えることができる。ばねは、半田付けによってまたはアクリル製基部に埋め込むことによって、アーチワイヤに取り付けることができる。Ｚ字形ばねは、装置が不安定になり口から外れることのないように、（図２７に示すように）ばねのすぐ上で歯に接着された少量のコンポジット充填材料に係合することができる。ばねなどは半田を使用せず金属接着および樹脂を使用してアーチワイヤに追加することもできる。図２３に示す歯科用装置１０はまた、１対の「長い」Ｃ字形クラスプ５４も含み、それぞれ、Ｃ字形クラスプ５４の一方の端部のみでアーチワイヤ１４に半田付けされる。
【００４１】
図２４は、４つの「長い」Ｃ字形クラスプ５４を有し、それぞれがＣ字形クラスプ５４の一方の端部のみでアーチワイヤ１４に半田付けされ、クラスプ５４のカンチレバー部により長い長さをもたらす、下顎用の脱着可能な歯科用装置１０を示す。図２５は、図２４の歯科用装置１０の右側面図を示し、Ｃ字形クラスプ５４がアーチワイヤ１４に半田付けされる方法を明白に表す。先に述べたように、アーチワイヤ１４から懸架されたより長いカンチレバー部のおかげで、中心部分でアーチワイヤに取り付けられているＣ字形クラスプに比べると、「長い」Ｃ字形クラスプは保持力の向上をもたらす。カンチレバー部はアーチワイヤ１４に関してより大きく屈曲することができ、したがって縫合線の動きを向上させることができる。
【００４２】
図２６は患者の上顎に固定されている歯科用装置１０の側方断面図を示す。保持の目的でより大きなアンダーカットを設けるために、コンポジット充填材料を参照番号１２４で示すように歯の上面に追加することができる。これは歯科用装置を乳歯に保持する際に困難を有する場合に特に有用である。アーチワイヤを配置することを助けるため、かつ犬歯などの歯を唇側または舌側に動かすことを助けるためにも、コンポジットを（図２８および図２９に示すように）歯に取り付けることもできる。
【００４３】
本発明の例による歯科用装置は、装着者の顎に簡単に装着することを可能にし、従来のこれまで提案された歯科用装置に比べてより快適であり、歯の動く自由度を大きくすることができる。さらに、本装置を使用することによってアーチを広げることができるので、抜歯の必要性が少なくなる。クラスプおよびアーチワイヤの配置は、これまで提案された装置に比べるとより多くの様々な状況で、さらにはこれまで保持力の低かった症例でも、使用することができる。外方向に動かす必要のある歯に圧力が加えられるように、拡張ねじを調整しアクリルをトリムして基部を広げることによって、保持力を改善することができる。圧力は穏やかで緩慢であるべきであり、拡大によって再整列する歯により高い自由度が与えられる。そのような再配列は、アーチワイヤによって、およびアーチワイヤに半田付けされまたはアクリル内部に固定された補助ワイヤまたはばねによって、指示することができる。小臼歯および臼歯のわずかな側方拡張は、正確に行えば、頭蓋縫合線に圧力を加えることができ、顎の制限を様々な程度まで軽減するように開放し、それにより神経系に有益な効果をもたらすことができる。口をより大きく開けることによって、全身がより大きく弛緩する。
【００４４】
アクリルを内側に、およびアーチワイヤを外側にすることによって、歯を調和させるために６方向に動かすことができる。すなわち、前後、両側方および上下である。
【００４５】
装置の製造
上述のように患者のための歯科用装置を製造するために、患者の口腔の印象を取り、印象から両顎の模型を作る。印象および模型は、装置が良好に固定され効果的に作用することができるように、高い正確度を有することが望ましい。
【００４６】
その細部は最後歯のすぐ後方にまでおよび、最後歯を含むべきである。下側の印象はできるだけ多くの舌側プレートを必要とする。アルギン酸塩を使用して歯形を取るとき、乾燥する前に注入しなければならない。模型は、湿ったままにすれば翌日注入することもできる。ゴムの印象もまた優れている。これらは、研究模型を含むいくつかの注入材の選択肢を提供する。新しいタイプのアルギン酸塩付きラバーは、技工所に配送するのにより軽量であり材料の作業もより少ないので、問題解決策となり得る。印象を取るとき、印象材料を支持するための適切なトレイを選択した後、充填した印象をまず後方に押し付ける。これにより患者の嘔吐感を防ぎ、喉の奥に材料が押し込まれないようにする。材料は流動し過ぎず、十分に混ざっていることを確認するべきである。
【００４７】
技工所への指示
ａ）装置には２つの基本的な設計およびいくつかの変形例がある。一般に技工所は、基本的な設計である標準的な上顎および下顎装置を要求される。標準的な上顎装置は２つの主要な変形例を含み、唇側弓状部を有するもの、または有さないものがある。有さないものは、話すことまたは美容上の必要性があり、前方にワイヤを見せたくないと望む患者のためのものである。ＴＭＪ障害がある場合はいつでも、上顎装置はより多くの制御が可能であるように、３方向に拡張可能なＴＭＪ標準の３方向タイプとするべきである。咬合板を設けず口蓋の前方が開放される場合は、２方向タイプの装置を使用することもできる。
【００４８】
ｂ）外側唇側弓状部の設計は標準的なものとするが、修正することができ、犬歯を定位置に動かすように小型のフィンガースプリングを追加する、または選択的な圧力をいずれかの歯に加えるなど、追加を行うこともできる。ワイヤに半田付けまたはレーザ処理されたＣ字形クラスプを使用して、歯に係合するように保持がなされる。Ｕ字形ループを調整することによって固くまたは緩くすることのできるアーチワイヤによって、摩擦保持も行われる。十分な保持力を提供するためにコンポジットボタンを歯の唇側または舌側に配置する必要があることもある。保持が良好であると、患者のコンプライアンスはより向上する。問題がある場合は、再び印象を取り、再固定または再製造するほうが、成果を無駄にするよりも良い。優れている点は、持続的な圧力によってワイヤが疲労し破損するアダムスタイプの装置を使用するときとは違い、患者がこの装置を長時間装着していなくても、非常に簡単に再固定することができることである。
【００４９】
ｃ）第３級症例はやや異なり、多くの場合は後方咬合板を備えた上顎装置のみを必要とする。上顎をできるだけ成長させるために３方向拡張が必要である。場合によっては、咬合を開き中心および側方を前方に動かすことを可能にし、少なくとも縁部同士の咬合を促進するように、下臼歯にコンポジットを追加することが有意義である。
【００５０】
治療開始前に取る基本記録
１．歯の欠損または異常位置またはひびなど、何らかの異常を調べるためのオルソパントモグラム（ＯＰＧ）。
２．困難な症例および標準記録として有用になり得るセファログラム。
３．研究模型−この時点で将来の変化を見るための開始点である。
４．手入れを行い、衛生管理を実行することを確認する。
５．徹底した栄養歴。
６．扁桃腺および呼吸の十分な目視による観察。扁桃腺のサイズを確認する（くるみ大、プラム大、オリーブ大、または豆大）。咽頭反射は喉の炎症または感度を示す。
７．患者に、乳製品、グルテン、小麦やライなどの穀物、および糖分を避けるようにアドバイスすることが有益なことがある。同様に、チョコレートやコーヒーなど甲状腺を過剰に刺激する食物も避けるべきである。
８．顎の動作範囲および測定値および偏差値。顎の開きの測定は必須である。これは筋弛緩の最も良い目安の１つである。口がより大きく開くほど、呼吸および頭位を、特に頭痛などの体の痛みがより少ない状態で、より簡単に行うことができる。
９．写真記録は顔面の構造上の段階的な変化を位置づけるために、および全身写真は姿勢を示すために、非常に有用である。
１０．内分泌障害を調べるために、患者によっては血液検査が必要なこともある。
１１．高齢の患者には十分な健康問診が有用である。
１２．ＴＭＪ症例では、耳痛、首のこわばり、ＴＭＪ痛、ＴＭＪ関節音、頭痛、顔面痛、腕の痛み／疼き／痺れ、首の痛み／こわばり、背中の痛み／こわばり、下半身の痛み／こわばり、および顎の動作範囲などの状態を記すために十分なＴｕｆｔｓ問診を行うことができる。
１３．筋肉の収縮による影響を受けずに下顎および上顎を適正な対称位置に揃えるための、模型の形状分析。
【００５１】
装置の調整についての助言
前歯のＺ字形ばねのためのアンダーカットまたはボタンを形成するようにコンポジットを舌側または頬側面に追加することによって、保持力を高めることができる。犬歯を定位置に持ち上げまたは引き寄せるために、コンポジットを犬歯に取り付けることができる。ワイヤをアクリルに半田付けまたは接着剤で付けることができる。
【００５２】
ばねは頻繁に、週ごとにでも、少しずつ調整するべきであり、そうすれば結果は非常に迅速になる。コンポジットのボタンは、ばねが持ち上がらないようにし、また装置の保持の助けにもなる。
【００５３】
禁忌
痛みを起こさず、または過剰な圧力を加えてはならない。完璧性が望まれる場合は、微細な仕上げを行うために装置の使用に加えて固定器を使用することもできる。ただし、多くの場合、固定器は不要である。未萌出の犬歯の位置は、歯根を損傷しないように側切歯が前方傾斜する前に判断するべきである。より困難な症例ではＴＭＪおよび咬合バランスの十分な知識が必要となることがある。ＴＭＪ症例はこの方法で非常に簡単に矯正することができる。歯を動かす前に歯のための空間を作ることもまた忠告される。歯科矯正上の変化は装置を日夜装着することが必要であるが、症例によっては夜間の使用だけで解決できるものもある。
【００５４】
上記の歯科用装置を例としてのみ説明してきたが、本発明の範囲内で修正も可能である。必要に応じて歯を動かさなければならないときは、アーチワイヤまたは基部上に他の特徴を追加することもできる。リップバンパーを追加することもできる。
【００５５】
本発明の例による歯科用装置は、以下の適用例で使用することができる。
−特に固定器を使用する前の幼い子供の、単一およびいくつかの複合歯科矯正症例の治療。場合によっては固定器を完全に使用しないことができる。
−顎をより大きく開くことを可能にし、頭痛および緊張の軽減をもたらすＴＭＪの治療。
−顔面の形状の変化を可能にし、場合によっては上顎をできるだけ早期に拡大することによって口呼吸のパターンを変えることが可能である、顔面の噛みしめおよび締めつけの治療。
−噛みしめパターンを軽減させるスプリントとして。
−上の唇を締め、顎および首の筋肉を緩めるため。
−睡眠時無呼吸および夜尿症または睡眠困難の治療のため。
−呼吸を改善するための喘息治療。
−筋肉の力を変更し、成長を変更し、歯の発達と筋機能を導き、悪習慣を矯正するための、能動的または受動的なＴＭＪ装置として。
−固定器を取り外した後に歯科矯正治療を微調整し、維持し、完全にするための一般的なリテーナとして。
−非対称の顎をある程度矯正し、および顔面の不均等な筋肉の収縮によるスマイルラインの角度（斜角）を矯正することを助ける。
−扁桃腺およびアデノイドの縮小を助け、呼吸を改善する。
−偏頭痛、頭痛、首の障害、ＲＳＩ、背部の痛みおよび脚の痛み、耳鳴りおよびいびきの治療。
【００５６】
固定器を使用できなかった、または固定器が高価すぎると感じている人々に、このシステムを使用して、不正咬合およびＴＭＪ障害を単純で簡単な方法で直すための別の代替策を与えることもできる。
【００５７】
本明細書における従来技術に関する言及は、従来技術がオーストラリアで広く知られている一般的な知識の一部を形成するということの承認またはあらゆる形態での示唆をなすものではなく、またはそのように捉えるべきではない。
【図面の簡単な説明】
【００５８】
【図１】上顎用の歯科用装置の下側面（すなわち、正常な位置で上顎の組織と反対を向く表面）の斜視図である。
【図２】図１に示す歯科用装置の上側面（すなわち、正常な位置で上顎の組織に面する表面）の斜視図である。
【図３】図１および２に示す歯科用装置の前方斜視図である。
【図４】上顎用の歯科用装置の頂面図である。
【図５】図４に示す歯科用装置の下側面の側方斜視図である。
【図６】上顎用歯科用装置の下側面の前方斜視図である。
【図７】図６に示す歯科用装置の下側面の平面図である。
【図８】下顎用の歯科用装置の頂面図である。
【図９】図８に示す歯科用装置の前方斜視図である。
【図１０】図８および９に示す歯科用装置の頂面図である。
【図１１】上顎用歯科用装置の下側面の斜視図である。
【図１２】図１１に示す歯科用装置の側面図である。
【図１３ａ】上顎用歯科用装置の下側面の斜視図である。
【図１３ｂ】装置に前方咬合板を有さない、上顎用歯科用装置の下側面の斜視図である。
【図１３ｃ】装置に唇側弓状部分を備えたアーチワイヤを有するが前方咬合板を有さない、上顎用歯科用装置の下側面の斜視図である。
【図１４】装着者の顎の定位置で示す、上顎用歯科用装置および下顎用歯科用装置の前面図である。
【図１５】上顎に固定して示す歯科用装置の下側面の略図化した図である。
【図１６】装置に前方咬合板を有さない、上顎に固定して示す歯科用装置の下側面の略図化した図である。
【図１７】２つのＣ字形クラスプおよび歯科用装置のアーチワイヤの一部の略図化した側面図である。
【図１８】下顎に固定して示す歯科用装置の略図化した頂面図である。
【図１９】上顎に固定して示す歯科用装置の下側面の略図化した図である。
【図２０】装置に湾曲咬合板を有する、上顎用の歯科用装置の略図化した断面図である。
【図２１】装置に平坦咬合板を有する、上顎用の歯科用装置の略図化した断面図である。
【図２２】下顎を上顎に対して前方固定する形状にした咬合板を装置に有する、上顎用の歯科用装置の略図化した断面側面図である。
【図２３】装置にＺ字形ばねを有する、上顎に固定して示す歯科用装置の下側面の略図化した図である。
【図２４】下顎に固定して示す歯科用装置の略図化した頂面図である。
【図２５】２つのＣ字形クラスプおよび装置のアーチワイヤの一部を示す、図２４の一部の歯科用装置の略図化した右側面図である。
【図２６】装着者の顎に固定して示す歯科用装置の略図化した側面断面図である。
【図２７】１つの歯のＺ字形ばねの動作を示す、３つの歯の略図化した前面図である。
【図２８】歯科用装置のアーチワイヤのＵ字形ループの動作を示す、３つの歯の略図化した前面図である。
【図２９】歯科用装置のアーチワイヤに固定されたＬ字形レストの動作を示す、３つの歯の略図化した前面図である。
【図１】
2007533355.tif 000003
【図２】
2007533355.tif 000004
【図３】
2007533355.tif 000005
【図４】
2007533355.tif 000006
【図５】
2007533355.tif 000007
【図６】
2007533355.tif 000008
【図７】
2007533355.tif 000009
【図８】
2007533355.tif 000010
【図９】
2007533355.tif 000011
【図１０】
2007533355.tif 000012
【図１１】
2007533355.tif 000013
【図１２】
2007533355.tif 000014
【図１３ａ】
2007533355.tif 000015
【図１３ｂ】
2007533355.tif 000016
【図１３ｃ】
2007533355.tif 000017
【図１４】
2007533355.tif 000018
【図１５】
2007533355.tif 000019
【図１６】
2007533355.tif 000020
【図１７】
2007533355.tif 000021
【図１８】
2007533355.tif 000022
【図１９】
2007533355.tif 000023
【図２０】
2007533355.tif 000024
【図２１】
2007533355.tif 000025
【図２２】
2007533355.tif 000026
【図２３】
2007533355.tif 000027
【図２４】
2007533355.tif 000028
【図２５】
2007533355.tif 000029
【図２６】
2007533355.tif 000030
【図２７】
2007533355.tif 000031
【図２８】
2007533355.tif 000032
【図２９】
2007533355.tif 000033
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
装着者の歯のアーチの内側に配置するようになっている基部と、前記基部に連結されたアーチワイヤとを有する脱着可能な歯科用装置であって、前記基部の外側面が前記歯の内側面に接触する輪郭とされており、使用時に、前記装着者の一組の歯の中間に前記アーチワイヤと前記基部の間の相互連結がないように、前記アーチワイヤが前記一組の歯の外周上を延び、前記歯科用装置が前記基部を拡張するための１つまたは複数の拡張ねじを備える、歯科用装置。
【請求項２】
前記歯科用装置が、前記装着者の上顎を左、右および前方向に広げるための３方向拡張ねじ機構を備える、請求項１に記載の歯科用装置。
【請求項３】
装着者の歯のアーチの内側に配置するようになっている基部と、前記基部に連結されたアーチワイヤとを有する脱着可能な歯科用装置であって、前記基部の外側面が前記歯の内側面に接触する輪郭とされており、使用時に、前記装着者の一組の歯の中間に前記アーチワイヤと前記基部の間の相互連結がないように、前記アーチワイヤが前記一組の歯の外周上を延びる、歯科用装置。
【請求項４】
前記アーチワイヤが前記アーチの外側に沿って前記一組の歯の外側面に接するために、前記基部の一方の側の後方部分から前記基部の他方の側の後方部分へと延びる、請求項１〜３のいずれか一項に記載の歯科用装置。
【請求項５】
前記歯科用装置の使用時に前記基部に関して前記アーチワイヤの制限された動きを可能にするように、前記アーチワイヤが、前記基部のそれぞれの側の後方部分に関して後方向に延びる、請求項４に記載の歯科用装置。
【請求項６】
前記歯科用装置が前記装着者の上顎用である、請求項１〜５のいずれか一項に記載の歯科用装置。
【請求項７】
前記歯科用装置を使用する際、前記アーチワイヤが前記基部の左側後方部分から、前記アーチの左側の後歯の後方を外方向に、前記アーチの左外側に沿って前方向に、前記アーチの前外側に沿って右方向に、前記アーチの右外側に沿って後方向に、前記アーチの右側の後歯の後方を内方向に、前記基部の右側後方部分へと連続して延びる、請求項１〜６のいずれか一項に記載の歯科用装置。
【請求項８】
前記アーチワイヤが複数のＵ字形ループを組み込んでいる、請求項１〜７のいずれか一項に記載の歯科用装置。
【請求項９】
前記アーチワイヤが４つのＵ字形ループを組み込んでいる、請求項８に記載の歯科用装置。
【請求項１０】
前記アーチワイヤが１つまたは複数のＣ字形クラスプを備えている、請求項１〜９のいずれか一項に記載の歯科用装置。
【請求項１１】
前記Ｃ字形クラスプの少なくとも１つが、前記Ｃ字形クラスプの一方の端部のみで前記アーチワイヤに連結されている、請求項１０に記載の歯科用装置。
【請求項１２】
前記アーチワイヤが１つまたは複数のＬ字形レストを備えている、請求項１〜１１のいずれか一項に記載の歯科用装置。
【請求項１３】
前記基部がアクリル製である、請求項１〜１２のいずれか一項に記載の歯科用装置。
【請求項１４】
前記基部が咬合板を備える、請求項１〜１３のいずれか一項に記載の歯科用装置。
【請求項１５】
前記咬合板が前方咬合板である、請求項１４に記載の歯科用装置。
【請求項１６】
前記咬合板が後方咬合板である、請求項１４に記載の歯科用装置。
【請求項１７】
装着者の歯のアーチの内側に配置するようになっている基部と、前記基部に連結されたアーチワイヤとを有する脱着可能な歯科用装置であって、前記基部の外側面は前記装着者の顎の一方の側の一組の歯の内側面に接触する輪郭とされており、使用時には、前記一組の歯の中間で前記アーチワイヤと前記基部の間の相互連結がないように、前記アーチワイヤが前記一組の歯の外周上を延び、前記歯科用装置が前記装着者の前歯を前方に押し付けるための前方ワイヤまたはばねを有する、歯科用装置。
【請求項１８】
装着者の歯のアーチの内側に配置するようになっている基部と、前記基部に連結されたアーチワイヤとを有する脱着可能な歯科用装置であって、前記基部の外側面は前記装着者の顎の一方の側の一組の歯の内側面に接触する輪郭とされており、使用時には、前記一組の歯の中間で前記アーチワイヤと前記基部の間の相互連結がないように、前記アーチワイヤが前記一組の歯の外周上を延びる、歯科用装置。
【請求項１９】
前記アーチワイヤが、前記基部の後方部分から、前記一組の歯の後歯の後方を外方向に、前記一組の歯の外側面に接触して前方向に、前記一組の歯の前歯の前を内方向に、前記基部へと連続して延びる、請求項１７または１８に記載の歯科用装置。
【請求項２０】
前記脱着可能な歯科用装置が前記装着者の下顎用である、請求項１７〜１９のいずれか一項に記載の歯科用装置。
【請求項２１】
前記基部が、第１の舌側部分およびそれと向かい合う第２の舌側部分を有し、前記第１および第２の舌側部分が弾性部材によって離間して保持され、前記第１の舌側部分が前記装着者の顎の一方の側にある歯の第１の組の内側面に接触する輪郭とされており、前記第２の舌側部分が前記装着者の顎の反対側にある歯の第２の組の内側面に接触する輪郭とされており、使用時には、前記第１のアーチワイヤが前記第１の舌側部分の後方部分から、前記歯の第１の組の後歯の後方を外方向に、前記歯の第１の組の外側面に接触して前方向に、前記歯の第１の組の前歯の前を内方向に、前記第１の舌側部分へと連続して延び、第２のアーチワイヤが前記第２の舌側部分の後方部分から、前記歯の第２の組の後歯の後方を外方向に、前記歯の第２の組の外側面に接触して前方向に、前記歯の第２の組の前歯の前を内方向に、前記第２の舌側部分へと連続して延びる、請求項１７〜２０のいずれか一項に記載の歯科用装置。
【請求項２２】
前記第１および第２のアーチワイヤがそれぞれ１つまたは複数のＣ字形クラスプを備えている、請求項２１に記載の歯科用装置。
【請求項２３】
前記Ｃ字形クラスプの少なくとも１つが、前記Ｃ字形クラスプの一方の端部のみで前記アーチワイヤに連結されている、請求項２２に記載の歯科用装置。
【請求項２４】
実質的に添付の図面を参照して説明した通りである、歯科用装置。
【手続補正２】
【補正対象書類名】明細書
【補正対象項目名】全文
【補正方法】変更
【補正の内容】
【発明の詳細な説明】
【発明の分野】
【０００１】
本発明は歯科用装置に関し、より詳細には、ただしこれに限定されないが、歯科矯正、顎関節（ＴＭＪ）スプリント療法および／または筋肉の機能および顔面および歯の発達を変更する筋機能活動で使用する、脱着可能な歯科用装置に関する。本発明の例は、頭蓋骨の動きおよび縫合線の動きに及ぼす影響に関し、筋肉の弛緩および鼻呼吸の形成／改善に関する。
【背景技術】
【０００２】
従来の脱着可能な歯科用装置は、選択された数の歯の周囲に堅固に固定されるクラスプを使用して、装着者の顎に配置され維持される。クラスプの一形態はアダムスクラスプとして知られており、一般に単一の歯の周囲にしっかりと固定される。従来の脱着可能な歯科用装置を、装置が定位置に堅固に保持されるように、いくつかのそのようなクラスプを使用して装着者の顎に固定することが一般的である。しかし、歯科用装置を装着者の顎にそのようにしっかりと固定することは、装着者の歯が傾斜している場合は特に装置の取付けに困難を生じることが多い。さらに、そのような従来の脱着可能な歯科用装置は、装着者の顎に非常にしっかりと固定されることが多く、装着者の頭蓋骨の動きに影響を及ぼし、精神的および身体的にも不快感およびストレスをもたらす（例えば装着者の顔面の噛みしめなど）。特定の歯に固定して装置を定位置に保持するように使用されるクラスプによって、歯はほとんど動かない、またはまったく動かないようになる。このように、歯は他の歯のための余地を作ることができず、一般に抜歯が必要である。
【０００３】
従来の脱着可能な歯科用装置を装着する際に患者が不快感を経験することによって、患者はしばしば装置を付けることを嫌がり、それにより一般に装置を頻繁かつ長期間装着する必要がある治療にとって有害に影響する、低いコンプライアンスを招くことになる。さらに、患者が装置を数日間だけ装着しなかった場合であっても、歯が動いて装置が適切に固定されなくなることがある。そのような状況では、患者の口腔の新しい印象を取り、装置を修正し、または取り替える必要がある場合があり、このことによって費用が高くなり、使用している装置が所望の効果を達成するという点において逆効果となる場合がある。アダムスクラスプなどのクラスプはまた、特に装置を取り付けにくい状況において破損する傾向もあり、クラスプを適切に配置するには歯が十分に生えていないことのある子供の患者に使用するのにも一般に不適合である。
【０００４】
本発明の例は従来の脱着可能な歯科用装置の上記の欠点を克服し、または少なくとも軽減することを目的とする。
【発明の概要】
【０００５】
本発明の一態様によれば、装着者の歯のアーチの内側に配置するようになっている基部および基部に連結されたアーチワイヤを有する脱着可能な歯科用装置が提供され、この歯科用装置は、基部の外側面は歯の内側面に接触する輪郭とされ、使用時には、装着者の一組の歯の中間にアーチワイヤと基部の間の相互連結がないように、アーチワイヤが一組の歯の外周上を延びており、更に、基部を拡張するための１つまたは複数の拡張ねじが設けられている。
【０００６】
本発明の他の態様によれば、装着者の歯のアーチの内側に配置するために調整された基部および基部に連結されたアーチワイヤを有する脱着可能な歯科用装置が提供され、この歯科用装置は、基部の外側面は歯の内側面に接触する輪郭とされ、使用時には、装着者の一組の歯の中間にアーチワイヤと基部の間の相互連結がないように、アーチワイヤが一組の歯の外周上を延びる。
【０００７】
好ましくは、アーチワイヤは、アーチの外側に沿って一組の歯の外側面に接するために、基部の一方の側の後方部分から基部の他方の側の後方部分へと延びる。
【０００８】
好ましくは、アーチワイヤは、当該歯科用装置を使用する際、基部に対するアーチワイヤの制限された動きを許容するために、基部の各側の後方部分に対して後方に延びている。
【０００９】
好ましくは、歯科用装置は装着者の上顎用である。
【００１０】
好ましくは、歯科用装置を使用する際、アーチワイヤが基部の左側後方部分から、アーチの左側の後歯の後方を外方向に、アーチの左外側に沿って前方向に、アーチの前外側に沿って右方向に、アーチの右外側に沿って後方向に、アーチの右側の後歯の後方を内方向に、基部の右側後方部分へと連続して延びる。
【００１１】
好ましくは、アーチワイヤは複数のＵ字形ループを組み込んでいる。一例では、アーチワイヤは４つのＵ字形ループを組み込んでいる。
【００１２】
好ましくは、アーチワイヤは１つまたは複数のＣ字形クラスプを備えている。より好ましくは、Ｃ字形クラスプの少なくとも１つが、Ｃ字形クラスプの一方の端部のみでアーチワイヤに連結されている。
【００１３】
好ましくは、アーチワイヤは１つまたは複数のＬ字形レストを備えている。
【００１４】
好ましくは、基部はアクリル製である。好ましくは、基部は咬合板を備える。一例では、咬合板は前方咬合板である。代替例では、咬合板は後方咬合板である。
【００１５】
本発明の別の態様によれば、装着者の歯のアーチの内側に配置するようになっている基部と、この基部に連結されたアーチワイヤとを有する脱着可能な歯科用装置が提供され、この歯科用装置は、基部の外側面は装着者の顎の一方の側の一組の歯の内側面に接触する輪郭とされており、使用時には、一組の歯の中間でアーチワイヤと基部の間の相互連結がないように、アーチワイヤが前記一組の歯の外周上を延びており、更に、装着者の前歯を前方に押し付けるための前方ワイヤまたはばねを有している。
【００１６】
本発明の更に他の態様によれば、装着者の歯のアーチの内側に配置するようになっている基部と、この基部に連結されたアーチワイヤとを有する脱着可能な歯科用装置が提供され、この歯科用装置は、基部の外側面は装着者の顎の一方の側の一組の歯の内側面に接触する輪郭とされており、使用時には、一組の歯の中間でアーチワイヤと基部の間の相互連結がないように、アーチワイヤが一組の歯の外周上を延びている。
【００１７】
好ましくは、アーチワイヤは基部の後方部分から、前記一組の歯の後歯の後方を外方向に、前記一組の歯の外側面に接触して前方向に、前記一組の歯の前歯の前を内方向に、基部へと連続して延びる。
【００１８】
好ましくは、脱着可能な歯科用装置は装着者の下顎用である。
【００１９】
好ましくは、基部は第１の舌側部分およびそれと向かい合う第２の舌側部分を有し、第１および第２の舌側部分は弾性部材によって離間して保持され、第１の舌側部分は装着者の顎の一方の側にある歯の第１の組の内側面に接触する輪郭とされ、第２の舌側部分は装着者の顎の反対側にある歯の第２の組の内側面に接触する輪郭とされ、使用時には、第１のアーチワイヤが第１の舌側部分の後方部分から、前記歯の第１の組の後歯の後方を外方向に、前記歯の第１の組の外側面に接触して前方向に、前記歯の第１の組の前歯の前を内方向に、第１の舌側部分へと連続して延び、第２のアーチワイヤが第２の舌側部分の後方部分から、前記歯の第２の組の後歯の後方を外方向に、前記歯の第２の組の外側面に接触して前方向に、前記歯の第２の組の前歯の前を内方向に、第２の舌側部分へと連続して延びる。
【００２０】
好ましくは、第１および第２のアーチワイヤがそれぞれ１つまたは複数のＣ字形クラスプを備える。より詳細には、少なくとも１つのＣ字形クラスプが、Ｃ字形クラスプの一方の端部のみでアーチワイヤに連結されている。
【００２１】
本発明の好ましい実施形態を、例を示すためにのみ添付の図面を参照して述べる。
【詳細な説明】
【００２２】
図１〜図３に示す脱着可能な歯科用装置１０は装着者の上顎用であり、アクリル製の基部１２および基部１２に連結された唇側アーチワイヤ１４を有する。図１は上顎模型に固定された歯科用装置を示す。歯科用装置の基部１２は、装着者の歯のアーチ１６の内側に配置される形状であり、基部１２が装着者の口蓋に対して据え付けられる湾曲した上方部分１８を備える形である。基部１２の外側面２０は、装着者の歯１７の内側面に接触する輪郭とされる。アーチワイヤ１４は、基部１２の一方の側の後方部分２２から基部１２の他方の側の後方部分２４へと、アーチ１６の外側に沿って歯１７の外側面に接触するように延びる。
【００２３】
基部１２は常温硬化または熱硬化したアクリル製義歯から形成することができ、歯に加える必要のある圧力に応じてトリムまたは他の方法で調整することができる。
【００２４】
図１に示すように、歯科用装置１０は使用時には、アーチワイヤ１４が基部１２の左側後方部分２４から、アーチ１６の左側の後歯２６の後方を外方向に（参照番号２５を参照）、アーチ１６の左外側に沿って前方向に（参照番号２８を参照）、アーチ１６の前外側に沿って右方向に（参照番号３０を参照）、アーチ１６の右外側に沿って後方向に（参照番号３２を参照）、アーチ１６の右側の後歯３６の後方を内方向に（参照番号３４を参照）、基部１２の右側後方部分２２へと連続して延びる。アーチワイヤ１４はまた、歯科用装置１０を使用することによってもたらされる効果を個別に合わせるために調整することのできる４つのＵ字形ループ３８も組み込んでいる。他の例では４つより多いまたは少ないＵ字形ループをアーチワイヤ１４に形成することもできるが、出願人は、４つのＵ字形ループがアーチワイヤ１４に良好な保持特性を維持するとともに適度の柔軟性をもたらすと判断した。
【００２５】
アーチワイヤ１４は後方部分２２，２４に対して後方に延びているので、アーチ１４と基部１２との間には、使用中に基部１２とアーチワイヤ１４との間の動きの自由度を高めるような間隔が形成される。これは、きつすぎる嵌め合い（これは上顎の密着や装着者に対する不当なストレスを引き起こす）を防止するのを助ける。装着者に対する筋肉の弛緩をもたらすことによって、くいしばりや、顎の矯正（整列）に対して不利益な他の筋肉の動きが防止、ないしは少なくとも低減され、呼吸が気道の向上により改善される。
【００２６】
また、基部１２に対するアーチワイヤ１４の動きの自由度が向上することにより、装着者の口内の適所にスナップ嵌めされる場合、装置の「ばねフィット」が容易化される。更に、装着者の装着における更なるフレキシビリティが得られ、より大きな範囲で装着者の調整が可能とされる利点もある。
【００２７】
図１〜図３に示す歯科用装置１０はまた、装着者の上顎を左、右および前方向に拡大するための３つの拡張ねじ４２、４４、４６を有する３方向拡張ねじ機構４０を備えている。各拡張ねじ４２、４４、４６は、矯正歯科医または患者が、装着者の上顎に所望される形状に従って基部１２の効果的なサイズを調整するために使用する工具（図示せず）を受けるための開口を備えている。基部１２は、基部１２に形成され、それを３つの個別パネル４８、５０、５２に分割する断線４７のおかげで、拡張ねじ４２、４４、４６の調整に応じて拡張することができる。アーチワイヤ１４がアーチ１６の周囲にあり、従来型のこれまで提案された歯科用装置ではよくあるように歯１７を把持しまたは損傷するものがないので、この配置における拡張ねじ４２、４４、４６によってもたらされる効果は好都合である。このように、本発明の配置は、装着者の神経系および筋機能への影響において利益をもたらす。
【００２８】
基部１２は、装着者の下顎が咬合板５３を閉塞するとき下顎を前方に動かし、装着者の顎および首の筋肉を弛緩するために、平面または傾斜するように形成することのできる前方咬合板５３を有する。アクリル製の基部１２は、装着者の顎に装着するのに所望の形状に従って形成される。前方咬合板は、深い咬合をなくし下歯の正常な量が見えるように、装着者の歯を同時に押すことを助ける。時間の経過とともに、噛みしめ抑制装置として動作する前方咬合板を使用することによって、深い咬合を矯正し噛みしめを軽減することができる。さらに、咬合板の効果および上顎の拡大は、ＴＭＪ障害を軽減する助けとなり、それまで口腔の開口障害を患っていた装着者の口を開くことを促進する助けとなることができる。例えば特に子供の第３級不正咬合において、前方咬合板の代わりに後方咬合板を使用することもできる。
【００２９】
歯科用装置１０を装着者の歯１７に保持するのを助けるように、アーチワイヤ１４の各側面にＣ字形クラスプ５４が半田付けされている。アーチワイヤ１４の各側面はまた、アーチワイヤ１４が脱落しないようにＬ字形レスト５６も備えている。
【００３０】
図４、図５および図６、図７に示す歯科用装置１０は、図１〜図３に示す歯科用装置１０と多くの点で類似しており、同様の特徴を同様の参照番号で示す。ただし図４および図５に示す歯科用装置は、患者の特定の症例に合わせるために、１方向拡張ねじ機構５８（およびそれに対応する、基部１２のサイズ調整のために必要な基部１２の唯一の断線４７）および２つだけのＵ字形ループ３８を有するアーチワイヤ１４という、より非対称な形状に変更されている点が異なる。図６および図７に示す歯科用装置１０もまた、強調された非対称形状および１方向拡張ねじ機構５８を有するが、アーチワイヤ１４には６つのＵ字形ループ３８が組み込まれている。
【００３１】
本発明の例に従って、特にアーチワイヤの配列をもとにして作製された歯科用装置は、動かすべき歯に十分な圧力を加えながら装置を円滑に固定することを可能にする。
【００３２】
図８〜図１０に示す脱着可能な歯科用装置６０は装着者の下顎用であり、下顎模型に固定されている状態を図８および図９に示す。歯科用装置６０は、第１の舌側部分６４、第２の舌側部分６６および一種のＷタイプのコフィンスプリングの形態である弾性部材６８から形成される基部６２を有する。第１および第２の舌側部分６４、６６は、特に装着者が上顎にも歯科用装置を固定しており、上顎の拡大に合わせるように下顎を拡大する必要がある場合に、装着者の下顎を広げるように調整することのできる弾性部材６８によって、離間して保持されている。第１の舌側部分６４は、装着者の下顎の一方の側にある歯の第１の組７０の内側面に接触する輪郭とされ、第２の舌側部分６６は、装着者の下顎の反対側にある歯の第２の組７２の内面に接触する輪郭とされている。図８に示すように、使用時には、第１のアーチワイヤ７４は、第１の舌側部分６４の後方部分７６から、前記歯の第１の組７０の後歯８０の後方を外方向に（参照番号７８を参照）、前記歯の第１の組７０の外側面に接触して前方向に（参照番号８２を参照）、前記歯の第１の組７０の前歯８６の前を内方向に（参照番号８４を参照）、第１の舌側部分６４へと連続して延びる。同様に、第２のアーチワイヤ８８は、第２の舌側部分６６の後方部分９０から、前記歯の第２の組７２の後歯９４の後方を外方向に（参照番号９２を参照）、前記歯の第２の組７２の外側面に接触して前方向に（参照番号９６を参照）、前記歯の第２の組７２の前歯１００の前を内方向に（参照番号９８を参照）、第２の舌側部分６６へと連続して延びる。好ましくは、歯の第１および第２の組７０、７２は小臼歯から臼歯までを含む。
【００３３】
第１および第２のアーチワイヤ７４、８８はそれぞれ、装着者の下顎に歯科用装置６０を保持することを助けるためにアーチワイヤ７４、８８にそれぞれ半田付けされた２つのＣ字形クラスプ１０２を備えている。歯科用装置６０はまた、装着者の前歯１０６を前方に押し付ける前方ワイヤまたはばね１０４も備えている。
【００３４】
基部６２は、歯に加える必要のある圧力に従ってトリムまたは他の方法で調整することができる。
【００３５】
図１１および図１２は、上顎模型に固定された脱着可能な歯科用装置１０を示す。装置は３方向拡張ねじ機構４０を備えており、前方咬合板５３を有する。アーチワイヤはＣ字形クラスプ５４を備える。図１２で最も良く示されているように、この場合のＣ字形クラスプは、中心部分がアーチワイヤに取り付けられているＣ字形クラスプに比べるとより長いカンチレバー部分を有する「長い」Ｃ字形クラスプを使用して保持力を向上させるように、その一端部分のみでアーチワイヤ１４に取り付けられている。したがって、カンチレバー部分はアーチワイヤ１４に比べてより大きく屈曲することができる。図４にも最も良く示されているように、アーチワイヤ１４は、アーチワイヤ１４が患者の歯から脱落しないように、Ｌ字形レスト５６を備えている。
【００３６】
図１３ａは上顎用の３方向調整可能な脱着可能な歯科用装置１０ａを示しており、装置１０ａの基部１２は前方咬合板５３を有する。装置１０ａは、上顎の前歯の唇側表面に当接するための前方唇側弓状部分１０８を備えたアーチワイヤ１４を有する。図１３ｂは、アーチワイヤ１４に前方咬合板または前方唇側弓状部分がなく、患者がより話しやすく、患者の上歯の前を通るワイヤが見えないような装置になっている、同じ患者のための代替的な脱着可能な歯科用装置１０を示す。図１３ｂでは、上顎の前歯の唇側表面に当接するための基部１２の前方部分がないので、基部１２を前方向に拡大するための設備が設けられておらず、２方向拡張ねじ機構４０で十分である。
【００３７】
図１３ｃは、図１３ｂに示すものと同様にアーチワイヤ１４に前方咬合板がないが前方唇側弓状部分１０８を有する、上顎用のさらに代替的な脱着可能な歯科用装置１０を示す。この配置は、前方咬合板を省略することによって患者がより自由に話せるようにしながら、前方唇側弓状部分１０８のおかげで上前歯を内方向に引っ張ることができるという利点をもたらす。図１３ｂの装置と同様に、図１３ｃの装置は２方向拡張ねじ機構４０を有する。
【００３８】
図１４は、患者の上顎および下顎内位置に固定された上顎および下顎用の歯科用装置１０、６０を示す。患者の上犬歯１１０はそれぞれ、アーチワイヤ１４が患者の歯から脱落しないように、または犬歯１１０を定位置に動かすように、アーチワイヤ１４の部分１１４に当接することのできるコンポジットボタン１１２を備えている。
【００３９】
図１５は患者の上顎に固定された歯科用装置１０を表す図を示す。装置１０の基部１２は、３方向拡張ねじ機構４０を使用して３方向の移動効果を実現するために分割される。一般に、基部１２の区画は動かす歯によって決まる。例えばこの図に示す装置では、前方パネル５２が犬歯１１０を含まないように基部１２が区画されている図１１の装置１０とは反対に、区画の前方分割部１１６は、前方パネル５２が上犬歯１１０を含むように配置されている。
【００４０】
図１６は、図１３ｂに示す装置と同様に、アーチワイヤ１４に前方咬合板または前方唇側弓状部分がない、代替的な脱着可能な歯科用装置１０を示す。装置の基部１２は、２方向拡張ねじ機構４０を使用して調整可能な２方向分割を有する。図１７は、Ｃ字形クラスプ５４がその中心部でアーチワイヤ１４に半田付けされている図１６の装置の側面図を示す。
【００４１】
図１９は上顎内の定位置にある脱着可能な歯科用装置１０を示す。装置は３方向拡張ねじ機構４０を有し、基部１２の前方パネル５２が犬歯１１０を含むように区画されている。しかし、図１５の装置１０とは対照的に、基部１２の区画は、基部１２が機構４０のねじを締結することによって互いに収縮するとき基部１２の側方パネル４８、５０が線１１８に沿って当接するようになることが異なっている。
【００４２】
図２０〜図２２は上顎用の脱着可能な歯科用装置の咬合板５３の様々な構造を示す。より詳細には、図２０は下顎を前方に動かすための湾曲した咬合板５３ａを示す。図２１は、下顎を上顎に対して順方向に配置するための平坦な咬合板５３ｂ、図２２は刻み目付きの咬合板５３ｃを示す。咬合板によって、顎が前方で噛み合う際に大きな役割を果たし、喉の筋肉および舌の基部および喉頭の周囲の軟組織を瞬時に緩めることが可能になり、呼吸の改善および筋肉の弛緩がもたらされる。咬合板は患者の上前歯の下を延びることができ、特定の症例の必要性に応じて、任意で犬歯の下を延びることもできる。
【００４３】
図２３は、犬歯１１０を噛み合うようにするための第１のばね１２０、および交叉咬合を修正するためのＺ字形ばね１２２の形態の第２のばねを備えて、上顎に固定された脱着可能な歯科用装置１０を示す。上顎または下顎用の歯科用装置は、装着者の歯の動きに合わせるためのばねを備えることができる。ばねは、半田付けによってまたはアクリル製基部に埋め込むことによって、アーチワイヤに取り付けることができる。Ｚ字形ばねは、装置が不安定になり口から外れることのないように、（図２７に示すように）ばねのすぐ上で歯に接着された少量のコンポジット充填材料に係合することができる。ばねなどは半田を使用せず金属接着および樹脂を使用してアーチワイヤに追加することもできる。図２３に示す歯科用装置１０はまた、１対の「長い」Ｃ字形クラスプ５４も含み、それぞれ、Ｃ字形クラスプ５４の一方の端部のみでアーチワイヤ１４に半田付けされる。
【００４４】
図２４は、４つの「長い」Ｃ字形クラスプ５４を有し、それぞれがＣ字形クラスプ５４の一方の端部のみでアーチワイヤ１４に半田付けされ、クラスプ５４のカンチレバー部により長い長さをもたらす、下顎用の脱着可能な歯科用装置１０を示す。図２５は、図２４の歯科用装置１０の右側面図を示し、Ｃ字形クラスプ５４がアーチワイヤ１４に半田付けされる方法を明白に表す。先に述べたように、アーチワイヤ１４から懸架されたより長いカンチレバー部のおかげで、中心部分でアーチワイヤに取り付けられているＣ字形クラスプに比べると、「長い」Ｃ字形クラスプは保持力の向上をもたらす。カンチレバー部はアーチワイヤ１４に関してより大きく屈曲することができ、したがって縫合線の動きを向上させることができる。
【００４５】
図２６は患者の上顎に固定されている歯科用装置１０の側方断面図を示す。保持の目的でより大きなアンダーカットを設けるために、コンポジット充填材料を参照番号１２４で示すように歯の上面に追加することができる。これは歯科用装置を乳歯に保持する際に困難を有する場合に特に有用である。アーチワイヤを配置することを助けるため、かつ犬歯などの歯を唇側または舌側に動かすことを助けるためにも、コンポジットを（図２８および図２９に示すように）歯に取り付けることもできる。
【００４６】
本発明の例による歯科用装置は、装着者の顎に簡単に装着することを可能にし、従来のこれまで提案された歯科用装置に比べてより快適であり、歯の動く自由度を大きくすることができる。さらに、本装置を使用することによってアーチを広げることができるので、抜歯の必要性が少なくなる。クラスプおよびアーチワイヤの配置は、これまで提案された装置に比べるとより多くの様々な状況で、さらにはこれまで保持力の低かった症例でも、使用することができる。外方向に動かす必要のある歯に圧力が加えられるように、拡張ねじを調整しアクリルをトリムして基部を広げることによって、保持力を改善することができる。圧力は穏やかで緩慢であるべきであり、拡大によって再整列する歯により高い自由度が与えられる。そのような再配列は、アーチワイヤによって、およびアーチワイヤに半田付けされまたはアクリル内部に固定された補助ワイヤまたはばねによって、指示することができる。小臼歯および臼歯のわずかな側方拡張は、正確に行えば、頭蓋縫合線に圧力を加えることができ、顎の制限を様々な程度まで軽減するように開放し、それにより神経系に有益な効果をもたらすことができる。口をより大きく開けることによって、全身がより大きく弛緩する。
【００４７】
アクリルを内側に、およびアーチワイヤを外側にすることによって、歯を調和させるために６方向に動かすことができる。すなわち、前後、両側方および上下である。
【００４８】
本発明の例による装置の使用は、装着者の顎を再整列させることができ、これは、特に、下顎の前方への動きを促進することにより、また、患者が口を閉じて鼻呼吸を行う可能性を高めることにより、可能となる。
【００４９】
装置の製造
上述のように患者のための歯科用装置を製造するために、患者の口腔の印象を取り、印象から両顎の模型を作る。印象および模型は、装置が良好に固定され効果的に作用することができるように、高い正確度を有することが望ましい。
【００５０】
その細部は最後歯のすぐ後方にまでおよび、最後歯を含むべきである。下側の印象はできるだけ多くの舌側プレートを必要とする。アルギン酸塩を使用して歯形を取るとき、乾燥する前に注入しなければならない。模型は、湿ったままにすれば翌日注入することもできる。ゴムの印象もまた優れている。これらは、研究模型を含むいくつかの注入材の選択肢を提供する。新しいタイプのアルギン酸塩付きラバーは、技工所に配送するのにより軽量であり材料の作業もより少ないので、問題解決策となり得る。印象を取るとき、印象材料を支持するための適切なトレイを選択した後、充填した印象をまず後方に押し付ける。これにより患者の嘔吐感を防ぎ、喉の奥に材料が押し込まれないようにする。材料は流動し過ぎず、十分に混ざっていることを確認するべきである。
【００５１】
技工所への指示
ａ）装置には２つの基本的な設計およびいくつかの変形例がある。一般に技工所は、基本的な設計である標準的な上顎および下顎装置を要求される。標準的な上顎装置は２つの主要な変形例を含み、唇側弓状部を有するもの、または有さないものがある。有さないものは、話すことまたは美容上の必要性があり、前方にワイヤを見せたくないと望む患者のためのものである。ＴＭＪ障害がある場合はいつでも、上顎装置はより多くの制御が可能であるように、３方向に拡張可能なＴＭＪ標準の３方向タイプとするべきである。咬合板を設けず口蓋の前方が開放される場合は、２方向タイプの装置を使用することもできる。
【００５２】
ｂ）外側唇側弓状部の設計は標準的なものとするが、修正することができ、犬歯を定位置に動かすように小型のフィンガースプリングを追加する、または選択的な圧力をいずれかの歯に加えるなど、追加を行うこともできる。ワイヤに半田付けまたはレーザ処理されたＣ字形クラスプを使用して、歯に係合するように保持がなされる。Ｕ字形ループを調整することによって固くまたは緩くすることのできるアーチワイヤによって、摩擦保持も行われる。十分な保持力を提供するためにコンポジットボタンを歯の唇側または舌側に配置する必要があることもある。保持が良好であると、患者のコンプライアンスはより向上する。問題がある場合は、再び印象を取り、再固定または再製造するほうが、成果を無駄にするよりも良い。優れている点は、持続的な圧力によってワイヤが疲労し破損するアダムスタイプの装置を使用するときとは違い、患者がこの装置を長時間装着していなくても、非常に簡単に再固定することができることである。
【００５３】
ｃ）第３級症例はやや異なり、多くの場合は後方咬合板を備えた上顎装置のみを必要とする。上顎をできるだけ成長させるために３方向拡張が必要である。場合によっては、咬合を開き中心および側方を前方に動かすことを可能にし、少なくとも縁部同士の咬合を促進するように、下臼歯にコンポジットを追加することが有意義である。
【００５４】
治療開始前に取る基本記録
１．歯の欠損または異常位置またはひびなど、何らかの異常を調べるためのオルソパントモグラム（ＯＰＧ）。
２．困難な症例および標準記録として有用になり得るセファログラム。
３．研究模型−この時点で将来の変化を見るための開始点である。
４．手入れを行い、衛生管理を実行することを確認する。
５．徹底した栄養歴。
６．扁桃腺および呼吸の十分な目視による観察。扁桃腺のサイズを確認する（くるみ大、プラム大、オリーブ大、または豆大）。咽頭反射は喉の炎症または感度を示す。
７．患者に、乳製品、グルテン、小麦やライなどの穀物、および糖分を避けるようにアドバイスすることが有益なことがある。同様に、チョコレートやコーヒーなど甲状腺を過剰に刺激する食物も避けるべきである。
８．顎の動作範囲および測定値および偏差値。顎の開きの測定は必須である。これは筋弛緩の最も良い目安の１つである。口がより大きく開くほど、呼吸および頭位を、特に頭痛などの体の痛みがより少ない状態で、より簡単に行うことができる。
９．写真記録は顔面の構造上の段階的な変化を位置づけるために、および全身写真は姿勢を示すために、非常に有用である。
１０．内分泌障害を調べるために、患者によっては血液検査が必要なこともある。
１１．高齢の患者には十分な健康問診が有用である。
１２．ＴＭＪ症例では、耳痛、首のこわばり、ＴＭＪ痛、ＴＭＪ関節音、頭痛、顔面痛、腕の痛み／疼き／痺れ、首の痛み／こわばり、背中の痛み／こわばり、下半身の痛み／こわばり、および顎の動作範囲などの状態を記すために十分なＴｕｆｔｓ問診を行うことができる。
１３．筋肉の収縮による影響を受けずに下顎および上顎を適正な対称位置に揃えるための、模型の形状分析。
【００５５】
装置の調整についての助言
前歯のＺ字形ばねのためのアンダーカットまたはボタンを形成するようにコンポジットを舌側または頬側面に追加することによって、保持力を高めることができる。犬歯を定位置に持ち上げまたは引き寄せるために、コンポジットを犬歯に取り付けることができる。ワイヤをアクリルに半田付けまたは接着剤で付けることができる。
【００５６】
ばねは頻繁に、週ごとにでも、少しずつ調整するべきであり、そうすれば結果は非常に迅速になる。コンポジットのボタンは、ばねが持ち上がらないようにし、また装置の保持の助けにもなる。
【００５７】
禁忌
痛みを起こさず、または過剰な圧力を加えてはならない。完璧性が望まれる場合は、微細な仕上げを行うために装置の使用に加えて固定器を使用することもできる。ただし、多くの場合、固定器は不要である。未萌出の犬歯の位置は、歯根を損傷しないように側切歯が前方傾斜する前に判断するべきである。より困難な症例ではＴＭＪおよび咬合バランスの十分な知識が必要となることがある。ＴＭＪ症例はこの方法で非常に簡単に矯正することができる。歯を動かす前に歯のための空間を作ることもまた忠告される。歯科矯正上の変化は装置を日夜装着することが必要であるが、症例によっては夜間の使用だけで解決できるものもある。
【００５８】
上記の歯科用装置を例としてのみ説明してきたが、本発明の範囲内で修正も可能である。必要に応じて歯を動かさなければならないときは、アーチワイヤまたは基部上に他の特徴を追加することもできる。リップバンパーを追加することもできる。
【００５９】
本発明の例による歯科用装置は、以下の適用例で使用することができる。
−特に固定器を使用する前の幼い子供の、単一およびいくつかの複合歯科矯正症例の治療。場合によっては固定器を完全に使用しないことができる。
−顎をより大きく開くことを可能にし、頭痛および緊張の軽減をもたらすＴＭＪの治療。
−顔面の形状の変化を可能にし、場合によっては上顎をできるだけ早期に拡大することによって口呼吸のパターンを変えることが可能である、顔面の噛みしめおよび締めつけの治療。
−噛みしめパターンを軽減させるスプリントとして。
−上の唇を締め、顎および首の筋肉を緩めるため。
−睡眠時無呼吸および夜尿症または睡眠困難の治療のため。
−呼吸を改善するための喘息治療。
−筋肉の力を変更し、成長を変更し、歯の発達と筋機能を導き、悪習慣を矯正するための、能動的または受動的なＴＭＪ装置として。
−固定器を取り外した後に歯科矯正治療を微調整し、維持し、完全にするための一般的なリテーナとして。
−非対称の顎をある程度矯正し、および顔面の不均等な筋肉の収縮によるスマイルラインの角度（斜角）を矯正することを助ける。
−扁桃腺およびアデノイドの縮小を助け、呼吸を改善する。
−偏頭痛、頭痛、首の障害、ＲＳＩ、背部の痛みおよび脚の痛み、耳鳴りおよびいびきの治療。
【００６０】
固定器を使用できなかった、または固定器が高価すぎると感じている人々に、このシステムを使用して、不正咬合およびＴＭＪ障害を単純で簡単な方法で直すための別の代替策を与えることもできる。
【００６１】
本明細書における従来技術に関する言及は、従来技術がオーストラリアで広く知られている一般的な知識の一部を形成するということの承認またはあらゆる形態での示唆をなすものではなく、またはそのように捉えるべきではない。
【図面の簡単な説明】
【００６２】
【図１】上顎用の歯科用装置の下側面（すなわち、正常な位置で上顎の組織と反対を向く表面）の斜視図である。
【図２】図１に示す歯科用装置の上側面（すなわち、正常な位置で上顎の組織に面する表面）の斜視図である。
【図３】図１および２に示す歯科用装置の前方斜視図である。
【図４】上顎用の歯科用装置の頂面図である。
【図５】図４に示す歯科用装置の下側面の側方斜視図である。
【図６】上顎用歯科用装置の下側面の前方斜視図である。
【図７】図６に示す歯科用装置の下側面の平面図である。
【図８】下顎用の歯科用装置の頂面図である。
【図９】図８に示す歯科用装置の前方斜視図である。
【図１０】図８および９に示す歯科用装置の頂面図である。
【図１１】上顎用歯科用装置の下側面の斜視図である。
【図１２】図１１に示す歯科用装置の側面図である。
【図１３ａ】上顎用歯科用装置の下側面の斜視図である。
【図１３ｂ】装置に前方咬合板を有さない、上顎用歯科用装置の下側面の斜視図である。
【図１３ｃ】装置に唇側弓状部分を備えたアーチワイヤを有するが前方咬合板を有さない、上顎用歯科用装置の下側面の斜視図である。
【図１４】装着者の顎の定位置で示す、上顎用歯科用装置および下顎用歯科用装置の前面図である。
【図１５】上顎に固定して示す歯科用装置の下側面の略図化した図である。
【図１６】装置に前方咬合板を有さない、上顎に固定して示す歯科用装置の下側面の略図化した図である。
【図１７】２つのＣ字形クラスプおよび歯科用装置のアーチワイヤの一部の略図化した側面図である。
【図１８】下顎に固定して示す歯科用装置の略図化した頂面図である。
【図１９】上顎に固定して示す歯科用装置の下側面の略図化した図である。
【図２０】装置に湾曲咬合板を有する、上顎用の歯科用装置の略図化した断面図である。
【図２１】装置に平坦咬合板を有する、上顎用の歯科用装置の略図化した断面図である。
【図２２】下顎を上顎に対して前方固定する形状にした咬合板を装置に有する、上顎用の歯科用装置の略図化した断面側面図である。
【図２３】装置にＺ字形ばねを有する、上顎に固定して示す歯科用装置の下側面の略図化した図である。
【図２４】下顎に固定して示す歯科用装置の略図化した頂面図である。
【図２５】２つのＣ字形クラスプおよび装置のアーチワイヤの一部を示す、図２４の一部の歯科用装置の略図化した右側面図である。
【図２６】装着者の顎に固定して示す歯科用装置の略図化した側面断面図である。
【図２７】１つの歯のＺ字形ばねの動作を示す、３つの歯の略図化した前面図である。
【図２８】歯科用装置のアーチワイヤのＵ字形ループの動作を示す、３つの歯の略図化した前面図である。
【図２９】歯科用装置のアーチワイヤに固定されたＬ字形レストの動作を示す、３つの歯の略図化した前面図である。
【国際調査報告】
2007533355.tif 000034
2007533355.tif 000035
2007533355.tif 000036